(57)【要約】【課題】本発明は、光コネクタに関し、光ファイバを屈曲させて接続するものにおいて部品点数の削減と、光ファイバ接続後においても前記光ファイバ引き出し方向を自由に変更できるようにすることが課題である。【解決手段】光ファイバを保持して突き合わせて接続するレセプタクル１ａとプラグ１ｂとでなる光コネクタにおいて、前記プラグの絶縁ハウジング２は、前記レセプタクルと嵌合する嵌合部が設けられた嵌合ハウジング３と、該嵌合部の後方に一体に成型され前記光ファイバを接続方向に対して所定の角度に屈曲させる屈曲部が設けられてなる屈曲ハウジング４とでなる光コネクタ１とする。【選択図】図７
2006017998.tif 000002
【特許請求の範囲】
【請求項１】
光ファイバを保持して突き合わせて接続するレセプタクルとプラグとでなる光コネクタにおいて、
前記プラグの絶縁ハウジングは、前記レセプタクルと嵌合する嵌合部が設けられた嵌合ハウジングと、該嵌合部の後方に一体に成型され前記光ファイバを接続方向に対して所定の角度に屈曲させる屈曲部が設けられてなる屈曲ハウジングとでなること、
を特徴とする光コネクタ。
【請求項２】
プラグ側の嵌合部とレセプタクル側の嵌合部とは、接続方向の周りに回転自在に嵌合される構造であること、
を特徴とする請求項１に記載の光コネクタ。
【発明の詳細な説明】
【技術分野】
【０００１】
本発明は、例えば、光コネクタにおいて、光ファイバの引き出し方向を自由に変えられる回転型光コネクタに関するものである。
【背景技術】
【０００２】
従来、例えば、光コネクタは、壁側や機器側に備えられたレセプタクルに、ジャックを差し込む際に、前記レセプタクルへの接続方向とジャックの光ケーブルの引き出し方向とが一直線上ではなく、略直交する方向に光ケーブルを引き出す必要がある場合、その捻れたり曲がったりするので、それを防いで光ファイバコードの引き出し方向を調整することができるようにしたものが知られている（特許文献１参照）。
【特許文献１】特開２００２−３４１１８２号公報
【発明の開示】
【発明が解決しようとする課題】
【０００３】
しかし、従来の光コネクタでは、前記略直交方向に屈曲される光ファイバコードの引き出し方向は、光コネクタの組立後において、一定に保たれている。よって、光ファイバコードをレセプタクルへの接続方向を軸芯としてその周りに自由に３６０°回転させることができない構造となっている。
【０００４】
更に、光ファイバを直交方向に屈曲させるブーツがコネクタハウジングと別体に形成されていて、部品点数が多くなり、前記コネクタハウジングとの組立工数にも手間が掛かることになる。本発明の光コネクタはこのような従来の課題を解決するために提案されたものである。
【課題を解決するための手段】
【０００５】
本発明に係る光コネクタの上記課題を解決して目的を達成するための要旨は、 光ファイバを保持して突き合わせて接続するレセプタクルとプラグとでなる光コネクタにおいて、前記プラグの絶縁ハウジングは、前記レセプタクルと嵌合する嵌合部が設けられた嵌合ハウジングと、該嵌合部の後方に一体に成型され前記光ファイバを接続方向に対して所定の角度に屈曲させる屈曲部が設けられてなる屈曲ハウジングとでなることである。
【０００６】
プラグ側の嵌合部とレセプタクル側の嵌合部とは、接続方向の周りに回転自在に嵌合される構造であることを含むものである。
【発明の効果】
【０００７】
本発明の光コネクタによれば、プラグ側のハウジングにおいて屈曲ハウジングが設けられているので、従来例に係るものより部品点数が削減される。
また、この光コネクタにおけるプラグ側の嵌合部とレセプタクル側の嵌合部とは、接続方向の周りに回転自在に嵌合される構造であるので、光ファイバの接続をした後であっても、光ファイバを接続方向に対してその軸芯周りに、任意の加点角度に回転させて光ファイバを引き出すことができる。
【発明を実施するための最良の形態】
【０００８】
本発明に係る光コネクタ１は、図１及び図７に示すように、光ファイバを保持して突き合わせて接続するレセプタクル１ａとプラグ１ｂとでなる光コネクタである。まず、前記プラグ１ｂの絶縁ハウジング２について説明すると、前記レセプタクル１ａと回転自在に嵌合する嵌合部３ａが設けられた嵌合ハウジング３と、該嵌合部３ａの後方に一体に成型され前記光ファイバを接続方向に対して所定の角度に屈曲させる屈曲部４ｂが設けられてなる屈曲ハウジング４とでなる。
【０００９】
前記屈曲ハウジング４においては、図２に示すように、光ファイバの接続方向ａに対して、引出し方向ｂが略直交する方向になるように屈曲部４ｂが設定されており、引出し方向が略Ｌ字型になっている。屈曲部４ｂの曲率半径は、光伝送特性に悪影響を及ぼさない、光ファイバの耐えうる範囲内で設定される。なお、図１（Ｃ）に示すように、前記屈曲部４ｂを形成するために、屈曲ハウジング４に開口部４ａが金型成形上の抜きが必要なことから設けられている。
【００１０】
前記嵌合部３ａは、図１乃至図２に示すように、円筒状の嵌合ハウジング３においてその周方向に設けられたリング状の突起であり、その断面は、半円形状である。この嵌合部３ａにおいて、光ファイバを位置固定するための、金属製の固定治具５（図３参照）を圧入させるための圧入溝３ｂが設けられている。
【００１１】
前記嵌合部ハウジング３の中心部には、光ファイバを挿通させて固定するための挿通孔３ｃが設けられている。図４に示すように、この挿通孔３ｃに光ファイバが挿通された後に前記固定治具５を圧入溝３ｂに圧入して固定するものである。なお、前記挿通孔３ｃに挿通させた光ファイバを嵌合部ハウジング３において固定するには、前記固定治具５の他、接着剤を挿通孔３ｃに流し込んで固定したり、挿通孔３ｃの光ファイバを弾性可動側壁によって挟装することで固定したりするものである。
【００１２】
また、絶縁ハウジング２の後壁面に前記開口部４ａがあるので、光ファイバを前記屈曲ハウジング４に挿通させる際にはこれを利用し、例えば、図２に示すように、光ファイバの一端側を外から前記開口部４ａに差込み、先に挿通孔３ｃに差し込んで、光ファイバの他端部を前記開口部４ａから図において下側の導出部４ｃへと繰り出すようにしても良い。この方法とは逆に、前記導出部４ｃから光ファイバの一端側を差し込んでそれを前記開口部４ａから挿入治具等を差し込んで当該光ファイバ先端部の一部を掴んで前記挿入孔３ｃへと導いて、挿入させるようにしても良い。
【００１３】
前記固定治具５は、図３に示すように、金属製で所用幅で略コ字型の平板ピンであり、両側の側壁には光ファイバ挟持用の凹部５ａが形成されている。また、側端部には圧入後における抜け防止用の突起５ｂが設けられている。
【００１４】
このほか、前記プラグ１ｂの側壁には、図１に示すように、屈曲ハウジング４の側壁中央部から弾性を有した係止片６が前方に伸長され設けられている。この係止片６の途中に設けられた突部６ａが、後述のレセプタクル１ａと嵌合時に係合する。そして、レセプタクル１ａを脱着させる時には、前記係合片６を左右両側から手で窄めることで、前記突部６ａの係合を解除させて行うものである。
【００１５】
レセプタクル１ａは、図５乃至図６に示すように、前記プラグ側の嵌合ハウジング３が内部空間部に嵌合される形状のものであり、内部の中央部には前記嵌合ハウジング３の嵌合突起３ｄが挿入嵌合する嵌合孔７ａを有する嵌合部７があり、上部と下部の壁面には、嵌合部３ａが嵌合して回転自在に支持される嵌合孔８が設けられている。嵌合孔８が上下にあるのは、対称形にすることで、誤挿入を防止するものである。前記嵌合部７の先には、レセプタクル用光ファイバの挿入部９が設けられている。  
【００１６】
以上のようにしてなる光コネクタ１は、図７に示すように、レセプタクル１ａとプラグ１ｂとが嵌合される。この状態で、プラグ１ｂが、レセプタクル１ａに対して、嵌合孔８と嵌合部３ａとの回転可能な嵌合構造により、接続方向ａの軸芯周りに３６０°自由に回転始し、任意のその位置で停止することが可能である。よって、光ファイバは、例えば、接続方向ａに対して略直交したＬ字型の形態で、その直交した面内で任意の方向に引き出すことができる。  
【図面の簡単な説明】
【００１７】
【図１】本発明に係る光コネクタ１のプラグ１ｂにおける、正面図（Ａ）、側面図（Ｂ），（Ｃ）、底面図（Ｄ）である。
【図２】同本発明の光コネクタ１のプラグ１ｂの縦断面図である。
【図３】同光コネクタ１における固定治具５の正面図（Ａ）、平面図（Ｂ）、側面図（Ｃ）である。
【図４】プラグ１ｂに固定治具５を装着した状態の縦断面図である。
【図５】本発明に係る光コネクタ１におけるレセプタクル１ａの平面図（Ａ）、正面図（Ｂ）、側面図（Ｃ）である。
【図６】図５におけるＡ−Ａ線に沿った断面図である。
【図７】本発明の光コネクタ１の縦断面図である。
【符号の説明】
【００１８】
１          光コネクタ、        １ａ        レセプタクル、
１ｂ        プラグ、
２          絶縁ハウジング、
３          嵌合ハウジング、    ３ａ        嵌合部、  
３ｂ        圧入溝、            ３ｃ        挿通孔、
３ｄ        嵌合突起、
４          屈曲ハウジング、    ４ａ        開口部、  
４ｂ        屈曲部、            ４ｃ        導出部、
５          固定治具、          ５ａ        凹部、
５ｂ        突起、              
６          係止片、            ６ａ        突部、
７          嵌合部、            ７ａ        嵌合孔、
８          嵌合孔、
９          挿入部。
【図１】
2006017998.tif 000003
【図２】
2006017998.tif 000004
【図３】
2006017998.tif 000005
【図４】
2006017998.tif 000006
【図５】
2006017998.tif 000007
【図６】
2006017998.tif 000008
【図７】
2006017998.tif 000009